(57)【要約】      （修正有）【課題】コンベヤーシステム、特に食品を含んでいる容器を輸送するものを減摩するのに特に適する減摩剤とその使用。【解決手段】乳化剤として、リン脂質から選択され、特にレシチンが利用される、分散体の親油相が、グリセロールと一般式Ｒ‐ＣＯＯＨ（Ｒは、５〜２１個の炭素原子を含む、飽和若しくは不飽和、分岐鎖若しくは直鎖アルキル又はアルケニル基である）の脂肪酸との部分的なエステル及び／又は完全なエステルを含み、該分散体は、２００ｎｍ以下のザウター径ｄ３，２、及び１以下のＢＴＶ値を有する水性レシチン含有エマルションを減摩剤として使用。【選択図】なし【特許請求の範囲】
【請求項１】
乳化剤としてリン脂質が存在することを特徴とする、親油相及び水相を含む分散体の、減摩剤としての、好ましくはコンベヤーシステム減摩剤としての使用。
【請求項２】
分散体がエマルション、特に水中油滴型（Ｏ／Ｗ）又は油中水滴型（Ｗ／Ｏ）エマルションの形態であることを特徴とする、請求項１に記載の使用。
【請求項３】
分散体の親油相が、グリセロールと一般式Ｒ‐ＣＯＯＨ（Ｒは、５〜２１個の炭素原子、好ましくは５〜１９個の炭素原子を含む、飽和若しくは不飽和、分岐鎖若しくは直鎖アルキル又はアルケニル基である）の脂肪酸との部分的なエステル及び／又は完全なエステルを含むことを特徴とする、請求項１又は２に記載の使用。
【請求項４】
さらに、親油相がグリセロールを含むことを特徴とする、請求項１〜３のいずれか１項に記載の使用。
【請求項５】
リン脂質として、レシチン、好ましくは大豆レシチンが選択されることを特徴とする、請求項１〜４のいずれか１項に記載の使用。
【請求項６】
分散体が０．３〜０．０５μｍ、好ましくは０．２〜０．０８μｍ、特に０．１５〜０．１μｍの平均液滴粒度を有することを特徴とする、請求項１〜５のいずれか１項に記載の使用。
【請求項７】
液滴が４００ｎｍ未満の、好ましくは２００ｎｍ未満のザウター径ｄ３；２を有する分散体を使用することを特徴とする、請求項１〜６のいずれか１項に記載の使用。
【請求項８】
親油相が分散体の０．１〜５０重量％、好ましくは０．５〜２５重量％、特に１．０％〜１５重量％を占めることを特徴とする、請求項１〜７のいずれか１項に記載の使用。
【請求項９】
リン脂質が分散体に０．０１〜１０重量％、好ましくは０．１〜８重量％、特に０．５〜５重量％、好適には１．０〜３．０重量％存在することを特徴とする、請求項１〜８のいずれか１項に記載の使用。
【請求項１０】
分散体が７０重量％以上の水、好ましくは８０重量％以上の水を含むことを特徴とする、請求項１〜９のいずれか１項に記載の使用。
【請求項１１】
さらに、分散体にリン脂質だけでなく追加の乳化剤も存在することを特徴とする、請求項１〜１０のいずれか１項に記載の使用。
【請求項１２】
さらに、分散体が界面活性剤を含むことを特徴とする、請求項１〜１１のいずれか１項に記載の使用。
【請求項１３】
界面活性剤が非イオン性、カチオン性又は両性界面活性剤の群から選択されることを特徴とする、請求項１〜１２のいずれか１項に記載の使用。
【請求項１４】
アニオン性界面活性剤及び／又はせっけんを含まない分散体を使用することを特徴とする、請求項１〜１３のいずれか１項に記載の使用。
【請求項１５】
さらに、分散体が、好ましくは殺生剤、帯電防止剤、消泡剤、増粘剤、可溶化剤、ヒドロトロープ、ｐＨ調整剤、腐食防止剤、ビルダー物質、錯化剤又は防腐剤の群から選択される追加成分を含むことを特徴とする、請求項１〜１４のいずれか１項に記載の使用。
【請求項１６】
分散体が、プラスチック及び／又は金属から構成されている面を有するコンベヤーシステムを減摩するのに使われることを特徴とする、請求項１〜１５のいずれか１項に記載の使用。
【請求項１７】
分散体が、容器、好ましくはガラス又はプラスチックの容器、さらに好ましくはガラス又はプラスチックのボトルを輸送するコンベヤーシステムを減摩するのに使われることを特徴とする、請求項１〜１６のいずれか１項に記載の使用。
【請求項１８】
分散体を使用して、食品に直接接触することになるコンベヤーシステムを減摩することを特徴とする、請求項１〜１７のいずれか１項に記載の使用。
【請求項１９】
最初に水で分散体を希釈して、次に減摩剤として使用することを特徴とする、請求項１〜１８のいずれか１項に記載の使用。
【請求項２０】
希釈された組成物が０．００１〜１５重量％の請求項１〜１５のいずれか１項に記載の組成物を含むことを特徴とする、請求項１９に記載の使用。
【請求項２１】
水で請求項１〜１５のいずれか１項に記載の組成物を希釈して、次にベルトコンベヤーに塗布することを特徴とする、ベルトコンベヤーを減摩する方法。
【発明の詳細な説明】
【技術分野】
【０００１】
本願発明は、減摩剤組成物に関し、その組成物のコンベヤーシステムを減摩するための、好ましくは包装用、特に食品包装用コンベヤーシステムを減摩するための使用に関する。
【背景技術】
【０００２】
飲食物の包装において、特に飲料工場のボトル詰め及びたる詰めホールでは、典型的には、対象の容器は、プレートベルトコンベヤー、又は適切な減摩法を用いて、好ましくはスプレーシステムを搭載した自動ベルト給油器によって給油されているだけでなく掃除も行き届いている他のコンベヤーシステムを用いて、輸送される。
【０００３】
コンベヤーシステムとそのシステムの可動又は固定部品との間の摩擦を減らすために、また速度が急激に変化したときに搬送されている容器が倒れて損傷しないように、減摩しなければならない。コンベヤーシステムの面の潤滑膜には、例えば、容器とコンベヤーシステムの面との間の摩擦を減らすような効果があるので、例えば、ベルトコンベヤーが急に停止する条件において、搬送されている容器の静止摩擦が減るので、倒れる危険を減らせる。
【０００４】
しかしながら、そのような減摩剤に課せられた性能に関する要求事項は多種多様である。第一に、減摩剤は摩擦の減少を引き起こさなければならず、またこの摩擦の減少は様々な材料にも適用されなければならない。この種のコンベヤーシステム上で搬送されている容器がガラス及び金属だけでなく板紙又は厚紙からなること、また同時に金属部品同士の摩擦の減少を確実にすることも必要であること、さらにはコンベヤーシステムの面が、例えばプラスチック若しくは金属板又はゴムからなるという事実を念頭に置くと、既知の減摩剤の全てがこれらの条件を満たせるわけではないのが明らかである。実際には、減摩剤が発泡体を形成するが、それは好ましくないということが、さらに重要な因子である。原則として、脱泡剤及び／又は低発泡型界面活性剤を加えることにより、この問題を解決できるが、そのような脱泡剤及び界面活性剤は、望ましい高生分解性を頻繁に欠いている。アミン、特に脂肪族アミンの併用も環境上の理由で望ましくない。したがって、適切な減摩剤を開発するために、原則として既知の化合物の全てを使えるとは限らない。
【０００５】
既に各種の解決法案が先行技術によって開示されている。例えば、欧州特許出願公開第０３５９１４５号明細書では、せっけん成分を含まない減摩剤組成物水溶液の使用が提案されているが、それは透明な水溶液となり、そして６〜８のｐＨを有し、さらに、アルキルベンゼンスルホン酸塩及びアルコキシル化アルカノールリン酸塩、さらにはアルカンカルボン酸を含む。国際公開第２００５／０１４７６４号パンフレットには、少なくとも１種のアニオン性界面活性剤とともに、少なくとも１種の有機モノエステル又はジエステルを必ず含む減摩剤濃縮物が開示されているが、水で溶かして所望の減摩剤とすることにより、これらの濃縮物を希釈しなければならない。
【０００６】
しかしながら、実際には、例えば、減摩剤が面に強く接着しすぎるという問題が起こり続け、それによって、搬送されている容器の過剰な接着、さもなければ粘着が起こるであろう。一方で、例えば合成向心力によって高速で、ベルトコンベヤーから減摩剤を過剰に容易く除去することも、減摩剤がコンベヤーシステム周辺に飛び散らないようにするためには、望ましくない。
【発明の概要】
【発明が解決しようとする課題】
【０００７】
したがって、先行技術の減摩剤の、上記の不利点を改良することは、本願発明の課題であった。今や水性エマルション中の特定の乳化剤がこの規定された課題を解決するのに適すると分かっている。
【課題を解決するための手段】
【０００８】
第一に、本願明細書は、親油相及び水相、さらには分散剤又は乳化剤を含む分散体（その分散体は分散剤／乳化剤として少なくとも１種のリン脂質を必然的に含む）の使用、並びにそのような分散体の減摩剤としての、好ましくはコンベヤーシステム減摩剤としての使用を提供する。
【０００９】
本発明に使われる組成物は分散体の形態を取る。原則として、分散体は２つ以上の相（その１つは連続相（分散媒）であり、残りの１つ以上は微粒化（分散相、分散質）している）からなる系（分散系）である。分散体の例としては、エマルション（分散媒及び分散相：互いに不溶な液相）、エアロゾル［ガス分散媒、液体分散相（霧）又は固体分散相（煙、塵）］、及び懸濁液（液体分散媒、固体分散相）が挙げられる。この本発明の使用については、組成物が、水中油滴型（Ｏ／Ｗ）又は油中水滴型（Ｗ／Ｏ）のいずれかの、エマルションの形態を取るという特別な利点が証明された。
【００１０】
好適なものとしては、Ｏ／Ｗ型の、つまり、親油相が分散して水連続相によって囲まれている、エマルションが相応しい。本願の技術的示唆による分散体（好ましくはエマルション）は、好ましくは７０〜９０重量％の水を含む。しかしながら、実際には、そのような組成物は水で希釈されて適切な減摩剤を形成し、そして典型的には、それは１５〜０．００１重量％、好ましくは１０〜０．０１重量％の非水性物質も含む。
【発明を実施するための形態】
【００１１】
有効な物質としては、本発明の分散体は少なくとも１種のリン脂質乳化剤／分散剤を含む。リン脂質は、グリセロールの一級水酸基の１つが、リン酸（これも逆側がエステル化されている）によってエステル化されている複合脂質である。グリセロールの他の２つの水酸基は、長鎖の飽和又は不飽和脂肪酸でエステル化されている。リン脂質は、親油性及び親水性成分による、それらの脂質のような溶解性のために脂質と同類であり、そして膜脂質として生体内で、層構造体の、まさに膜としての構造に関与するリン酸のジエステル又はモノエステルである。ホスファチジン酸は、１‐ｓｎ位及び２位（１‐ｓｎ位：通常は飽和、２位：通常は単又は多不飽和）で脂肪酸によってエステル化されるが、３‐ｓｎ原子でもリン酸によってエステル化され、そして次の一般式によって特徴付けられるグリセロール誘導体である。
【００１２】
【化１】
2014210926.tif 000002
【００１３】
人又は動物組織に発生するホスファチジン酸において、通常は、リン酸基は、コリン（レシチン＝３‐ｓｎ‐ホスファチジルコリン）若しくは２‐アミノエタノール（エタノールアミン）若しくはＬ‐セリン（セファリン＝３‐ｓｎ‐ホスファチジルエタノールアミン若しくはｓｎ‐ホスファチジル‐Ｌ‐セリン）などのアミノアルコールで、組織内で頻繁に見られるホスホイノシチド［１‐（３‐ｓｎ‐ホスファチジル）‐Ｄ‐ｍｙｏ‐イノシトール］を形成するｍｙｏ‐イノシトールで、又はホスファチジルグリセロールを形成するグリセロールで、エステル化される。
【００１４】
レシチン（本発明の分散体での使用が特に好ましい）は次の一般式で特徴付けられる。
【００１５】
【化２】
2014210926.tif 000003
【００１６】
式中、典型的には、Ｒ１及びＲ２は、１５又は１７個の炭素原子及び４個以下のｃｉｓ型二重結合を有する非分岐鎖の脂肪族基である。
【００１７】
カルジオリピン（１，３‐ビスホスファチジルグリセロール）は、グリセロールによって結合した２つのホスファチジン酸からなるリン脂質である。ホスホリパーゼＡ（例えば、リゾレシチン）によってアシル基がリン脂質から除去されたときに、リゾリン脂質が得られる。
【００１８】
リゾリン脂質は次の一般式によって特徴付けられる。
【００１９】
【化３】
2014210926.tif 000004
【００２０】
例えば、リゾレシチンは次の一般式で特徴付けられる。
【００２１】
【化４】
2014210926.tif 000005
【００２２】
式中、典型的には、Ｒ１及びＲ２は、１５又は１７個の炭素原子及び４個以下のｃｉｓ型二重結合を有する非分岐鎖の脂肪族基である。
【００２３】
リン脂質はプラズマロゲンも含むが、そのプラズマロゲンでは、脂肪酸の代わりに、１位に（エノールエーテルの形態の）アルデヒドが結合していて、ホスファチジルコリンに相当するＯ‐１‐ｓｎ‐アルケニル化合物は、例えば、ホスファチダルコリンと呼ばれる。
【００２４】
スフィンゴリン脂質の親構造はスフィンゴシン或いはフィトスフィンゴシンであり、それらは、次の構造式によって区別される。
【００２５】
【化５】
2014210926.tif 000006
【００２６】
スフィンゴ脂質の改良型は、例えば、次の一般式によって区別される。
【００２７】
【化６】
2014210926.tif 000007
【００２８】
式中、Ｒ１及びＲ３は、互いに独立して、炭素原子が１〜２８個の、飽和又は不飽和、分岐鎖又は非分岐鎖アルキル基であり、そしてＲ２は、水素原子、炭素原子が１〜２８個の飽和又は不飽和、分岐鎖又は非分岐鎖アルキル基、糖基、非エステル化若しくは有機基でエステル化されたリン酸基、非エステル化若しくは有機基でエステル化された硫酸基の群から選択され、そしてＹは水素原子、水酸基又は別のヘテロ官能基のいずれかである。
【００２９】
スフィンゴリン脂質は
【００３０】
【化７】
2014210926.tif 000008
【００３１】
であり、式中、Ｒ１及びＲ３はアルキル基であり、Ｒ４はオルガニル基である。スフィンゴミエリンは、下記
【００３２】
【化８】
2014210926.tif 000009
【００３３】
の種類のオルガニルリン酸化スフィンゴ脂質である。
【００３４】
本発明に関しては、用語「リン脂質」は、スフィンゴリン脂質及びスフィンゴリン脂質も含む。
【００３５】
本発明の好ましい一実施形態では植物起源のリン脂質を用いる。これらのリン脂質は、例えば、大豆又の植物種細胞から得ることができる。植物油（特に大豆油）の精油において副生成物として得られるレシチンを使うのが有利である。大豆レシチンは、ホスファチジルコリン（４０〜５０％）、ホスファチジルエタノールアミン（約１０％）、ホスファチジルイノシトール（約５％）、ホスファチジルセリン（約１〜２％）さらにはステロール及び脂質からなる。使用するリン脂質は、脱油及び／又は分画及び／又はスプレードライ及び／又はアセチル化及び／又は加水分解及び／又は水和されたリン脂質から選択するのが有利であり、好ましい。その使用が有利なリン脂質は、ホスファチジルコリンを多く含む及び／又はホスファチジルイノシトールを多く含むリン脂質からも選択される。
【００３６】
特に、その使用が本発明に有利なリン脂質は、商標Leciprime 1800 IP（Cargill社製）、Phosal 50 SA+（Phospholipid社製）、Soluthin MD（Phospholipid社製）又はLipoid SL 80-3（Lipoid社製）として市販されているものである。
【００３７】
エマルション中のリン脂質（単数又は複数の化合物）の量は、エマルションの総重量を基準として、好ましくは０．０１〜１０重量％、より好ましくは０．１〜８重量％、特に０．５〜５重量％、特に２〜４重量％である。
【００３８】
本発明の分散体は親油相を含む。親油相は、油成分及び／又は脂質さらにはこれらの任意の望ましい混合物を含んでよい。親油相の選択に応じて、本発明の分散体は懸濁液及び／又はエマルションの形態を取る。「油（「油成分」も同じ意味で使われる）」は、３０℃では液体であって比較的低い蒸気圧を有する、水に不溶な有機物である。油に共通する特徴は、それらの化学構造が一致しているのではなく、代わりにそれらの物理的整合性が似ていることである。
【００３９】
特に好ましい親油相は、室温（２１℃）で液体のものである。本願で示唆される組成物は、液体出発物質を用いて調製されるエマルションであることが好ましい。したがって、懸濁液が適切なわけではない。したがって、当業者は融点を基準として適切な油相を選択するであろう。
【００４０】
適切な油成分の例としては、それらが３０℃で、好ましくは２１℃で液体であるならば、下記で特定される化合物の種類が挙げられる。例としては、６〜１８個の、好ましくは８〜１０個の炭素原子を有する脂肪アルコール（例えば、Eutanol（登録商標）G）を主成分とするゲルベルアルコール（Guerbet alcohol）、直鎖Ｃ６〜Ｃ２２脂肪酸と直鎖若しくは分岐鎖Ｃ６〜Ｃ２２脂肪アルコールとのエステル、又は分岐鎖Ｃ６〜Ｃ１３カルボン酸と直鎖若しくは分岐鎖Ｃ６〜Ｃ２２脂肪アルコールとのエステル、例えば、ミリスチン酸ミリスチル、パルミチン酸ミリスチル、ステアリン酸ミリスチル、イソステアリン酸ミリスチル、オレイン酸ミリスチル、ベヘン酸ミリスチル、エルカ酸ミリスチル、ミリスチン酸セチル、パルミチン酸セチル、ステアリン酸セチル、イソステアリン酸セチル、オレイン酸セチル、ベヘン酸セチル、エルカ酸セチル、ミリスチン酸ステアリル、パルミチン酸ステアリル、ステアリン酸ステアリル、イソステアリン酸ステアリル、オレイン酸ステアリル、ベヘン酸ステアリル、エルカ酸ステアリル、ミリスチン酸イソステアリル、パルミチン酸イソステアリル、ステアリン酸イソステアリル、イソステアリン酸イソステアリル、オレイン酸イソステアリル、ベヘン酸イソステアリル、オレイン酸イソステアリル、ミリスチン酸オレイル、パルミチン酸オレイル、ステアリン酸オレイル、イソステアリン酸オレイル、オレイン酸オレイル、ベヘン酸オレイル、エルカ酸オレイル、ミリスチン酸ベヘニル、パルミチン酸ベヘニル、ステアリン酸ベヘニル、イソステアリン酸ベヘニル、オレイン酸ベヘニル、ベヘン酸ベヘニル、エルカ酸ベヘニル、ミリスチン酸エルシル、パルミチン酸エルシル、ステアリン酸エルシル、イソステアリン酸エルシル、オレイン酸エルシル、ベヘン酸エルシル及びエルカ酸エルシルなどがある。さらに適切なのは、直鎖Ｃ６〜Ｃ２２脂肪酸と分岐鎖アルコール（特に２‐エチルヘキサノール）とのエステル、Ｃ３〜Ｃ３８アルキルヒドロキシカルボン酸と直鎖若しくは分岐鎖Ｃ６〜Ｃ２２脂肪アルコールとのエステル（特に、マレイン酸ジオクチル）、直鎖及び／若しくは分岐鎖脂肪酸と多価アルコール（例えば、プロピレングリコール、ジオール二量体又はトリオール三量体など）及び／若しくはゲルベルアルコールとのエステル、Ｃ６〜Ｃ１０脂肪酸を主成分とするトリグリセリド、Ｃ６〜Ｃ１８脂肪酸を主成分とする液体モノ／ジ／トリグリセリド混合物、Ｃ６〜Ｃ２２脂肪アルコール及び／若しくはゲルベルアルコールと芳香族カルボン酸（特に安息香酸）とのエステル、Ｃ２〜Ｃ１２ジカルボン酸と１〜２２個の炭素原子を有する直鎖若しくは分岐鎖アルコール或いは２〜１０個の炭素原子及び２〜６個の水酸基を有するポリオールとのエステル、植物油、分岐鎖１級アルコール、１，３‐ジアルキルシクロヘキサンなどの置換シクロヘキサン、ジカプリリルカーボネート（Cetiol（登録商標）CC）などの直鎖及び分岐鎖Ｃ６〜Ｃ２２脂肪アルコールカーボネート、６〜１８個の、好ましくは８〜１０個の炭素原子を有する脂肪アルコールを主成分とするゲルベルカーボネート、安息香酸と直鎖及び／若しくは分岐鎖Ｃ６〜Ｃ２２アルコールとのエステル（例えば、Finsolv（登録商���）TN）、アルキル基ごとに６〜２２個の炭素原子を有する直鎖若しくは分岐鎖の対称若しくは非対称ジアルキルエーテル（ジカプリリルエーテル（Cetiol（登録商標）OE）など）、ポリオールによるエポキシド化脂肪酸エステルの開環物（Hydagen（登録商標）HSP、Sovermol（登録商標）750、Sovermol（登録商標）1102）、シリコーンオイル（シクロメチコン、ケイ素メチコン型など）並びに／又は脂肪族若しくはナフテン系炭化水素（例えば、鉱物油、スクアラン、スクアレン、又はジアルキルシクロヘキサンなど）である。
【００４１】
特に好ましいのはトリグリセリド又は部分的なグリセリドの混合物であり、特に好適なものとしては、一般式Ｒ‐ＣＯＯＨ（式中、Ｒは、５〜２１個の炭素原子、好ましくは５〜１９個の炭素原子を有する飽和又は不飽和、分岐鎖又は直鎖アルキル又はアルケニル基を示す）の脂肪酸でグリセロールをエステル化することにより調製されるグリセリドが相応しい。トリグリセリド及び部分的なグリセリドの混合物を使用するのが好ましく、そして部分的なグリセリド（すなわち、モノ及び／又はジグリセリド）の混合物も適切である。さらに好ましいのは、飽和脂肪酸基のみを有するグリセリドである。同様に好ましいのは、その脂肪酸が植物源（例えば、ココナッツ油）由来であるグリセリドである。室温で液体のグリセリドが油相として好ましい場合もある。
【００４２】
ジメチルポリシロキサン、メチルフェニルポリシロキサン及び環状シリコーン以外の適切なシリコーンオイルは、アミノ‐、脂肪酸‐、アルコール‐、ポリエーテル‐、エポキシ‐、フルオロ‐、グリコシド‐及び／又はアルキル‐変性シリコーン化合物であり、それらは室温では液体又は樹脂のいずれかでよい。さらに適切なのはシメチコンであり、それらは２００〜３００のジメチルシロキサン・ユニットの平均鎖長を有するジメチコンと二酸化ケイ素又は水素化シリケートとの混合物である。
【００４３】
他の適切な油性物質としてはポリカーボネートが挙げられる。特に適切なポリカーボネートは、Cognis（ドイツ）社製の市販品Cosmedia（登録商標）DCとして入手できるコポリマー（そのＩＮＣＩ名称は水素化二量体ジリノリル／ジメチルカーボネートコポリマーである）である。
【００４４】
同様に、ジアルキルエーテル、ジアルキルカーボネート、トリグリセリド混合物、並びにＣ８〜Ｃ２４脂肪酸とＣ８〜Ｃ２４脂肪アルコールとのエステル、ポリカーボネート、並びにこれらの物質の混合物が、本発明の油性物質に適する。ジアルキルカーボネート及びジアルキルエーテルは、対称又は非対称、分岐鎖又は非分岐鎖、飽和又は不飽和でよく、そして先行技術で十分に周知の反応によって調製可能である。本発明によれば、エステル、ジアルキルエーテル及びトリグリセリドを含む油性物質の混合物を使用するのが好ましい。
【００４５】
本発明によれば、とりわけ、好ましくは８〜４０個の炭素原子の鎖長を有する、３０℃で、好ましくは２１℃で液体の、炭化水素を採用することが可能である。それらは、分岐鎖又は非分岐鎖、飽和又は不飽和でよい。それらの中でも好適なものとしては、分岐鎖飽和Ｃ８〜Ｃ２０アルカンが相応しい。純物質だけでなく混合物を使うことが可能である。典型的には、対象となる化合物は、様々な異性体からなる混合物である。１０〜３０個の、好ましくは１２〜２０個の、より好ましくは１６〜２０個の炭素原子を有するアルカンを含む組成物が最適であり、それらの中でも特に最適なものは、アルカンの全量を基準として、１０重量％以上の分岐鎖アルカンを含むアルカンの混合物を有する。好ましくは、対象とするアルカンは分岐鎖飽和アルカンである。
【００４６】
水、乳化剤及び油性物質の上記成分以外に、さらに本発明の分散体は、典型的には減摩剤である追加成分を含んでよい。したがって、一方では、カチオン性又は両性乳化剤が存在してもよいが、リン脂質以外に、分散体には追加の乳化剤があってよいし、できる限り好適なものとして非イオン性乳化剤が相応しい。アニオン性乳化剤及び／又は界面活性剤若しくはせっけんの併用は、本発明にとって好ましくない。変わりに好適なものとして、そのようなアニオン性界面活性剤又はせっけんを含まない分散体が相応しい。
【００４７】
適切な非イオン性乳化剤の典型例は、脂肪アルコールポリグリコールエーテル、アルキルフェノールポリグリコールエーテル、脂肪酸ポリグリコールエステル、脂肪酸アミドポリグリコールエーテル、脂肪族アミンポリグリコールエーテル、アルコキシル化トリグリセリド、混合エーテル又は混合ホルマール、所望により部分的に酸化されたアルキル（アルケニル）オリゴグリコシド又はグルクロン酸誘導体、脂肪酸Ｎ‐アルキルグルカミド、タンパク質加水分解物（特に小麦系植物製品）、ポリオール脂肪酸エステル、糖エステルであり、その中でも好ましくはソルビタンエステル、ポリソルベート及びアミンオキシドである。非イオン性界面活性剤がポリグリコールエーテル鎖を含む場合には、それらの鎖には、標準的であるが、好ましくは狭い、同族体分布があってよい。
【００４８】
特に好ましい乳化剤は、式（Ｉ）
【００４９】
R1O-[G]p      （Ｉ）
【００５０】
（式中、Ｒ１は４〜２２個の炭素原子を有するアルキル及び／又はアルケニル基であり、Ｇは５又は６個の炭素原子を有する糖基であり、そしてｐは１〜１０の数を示す。）と一致するアルキル（オリゴ）グリコシド及びエトキシル化ソルビタンエステルである。
【００５１】
コンベヤーシステムを減摩するための本発明に使用される分散体では、通常はそれ自体に、追加成分が存在することがさらに可能であり、それらは殺生剤、帯電防止剤、消泡剤若しくは脱泡剤、増粘剤、可溶化剤、ヒドロトロープ、ｐＨ調整剤、腐食防止剤、ビルダー物質、錯化剤又は防腐剤の郡から選択されることが好ましい。しかしながら、好ましくは、本組成物は脱泡剤を含まない。
【００５２】
典型的には、上記で列挙した種類の添加剤は、分散体の全量を基準として、最大１０重量％、好ましくは０．０１〜５重量％、特に、分散体の全量の０．１〜３重量％存在する。好ましくは、水性分散体のｐＨは６〜８に設定されるべきである。
【００５３】
さらに、上記の成分だけでなく、グリセロールを使用するのも有利であろう。その場合には、グリセロールは、好ましくは０．１〜１０重量％、特に１〜５重量％存在してよい。
【００５４】
好ましくは、この本発明の使用は、コンベヤーシステム（その面がプラスチック及び／又は金属から構成されている）の減摩に関する。さらに、本分散体を使用して、容器、好ましくはガラス若しくはプラスチック、特にポリアルキレンテレフタレート（ＰＥＴ）のもの、又は、好ましくはガラス若しくはプラスチックのボトル、特にＰＥＴのものを輸送するコンベヤーシステムを減摩するのが好ましい。
【００５５】
本発明の分散体には、コンベヤーシステムが食品容器を輸送するときに、そしてコンベヤーシステム又は容器が食品に直接接触するために類似の相溶性のある減摩剤が必要になる恐れがある場合に、特別な利点がある。
【００５６】
減摩剤として本発明に使われる分散体は、水性エマルションの形態であることが好ましい。上述の通り、これらのエマルションは濃縮形態で供給される。そのような濃縮物の水分は、好ましくは５０重量％以上である。特に好適なものとして、７０重量％以上の水、そして好ましくは８０重量％以上の水を含む水性エマルション又は分散体が相応しい。しかしながら、そのエマルションは９０重量％以下の水を含んでもよい。次に、水によって該濃縮物をそれぞれの使用濃度に希釈できる。
【００５７】
分散体を特定する一パラメータ又は分散された粒子の粒度分布がザウター（Sauter）径である。ザウター径は、分散体全部の平均値として発生する比と同等の、液滴表面積に対する液滴体積の比を有する液滴の直径と定義される。
【００５８】
ザウター径は数学的にＤ［３，２］と定義される。
【００５９】
【数１】
2014210926.tif 000010
【００６０】
式中、ｓｉは集団ｉ内の粒子の全表面積ｎｉπｄ２ｉであり、そしてＳは全母集団の全表面積である。本発明の好ましい一実施形態では、分散体のザウター径ｄ３，２は、４００ｎｍ以下、特に２００ｎｍ以下である。
【００６１】
分散体（特にエマルション）を特定するパラメータ、又は分散された粒子の粒度分布は、液滴粒度分布の幅である。その液滴粒度分布の幅はＢＴＶ値として知られる数量によって示される。
【００６２】
【数２】
2014210926.tif 000011
【００６３】
ｄ：  液滴直径
ｄ３，９０：  分散相の体積の９０％がｄ≦ｄ３，９０を有する液滴により形成されている。
ｄ３，５０：  分散相の体積の５０％がｄ≦ｄ３，５０を有する液滴により形成されている。
ｄ３，１０：  分散相の体積の１０％がｄ≦ｄ３，１０を有する液滴により形成されている。
【００６４】
ＢＴＶ図形が小さいほど、液滴粒度分布は狭くなる。好ましくは、本発明の分散体は２以下の、特に１以下のＢＴＶ値を有する。
【００６５】
非混和相を均質化することにより本発明の分散体を調製する。均質化又は分散は、室温（２１℃）より高い温度及び／又は高圧に適した所で行なわれる。高温で均質化が行なわれると、分散作業後に、その分散体は再び室温に冷却される。分散法において、均質化は粗エマルションの分散相の超微粉砕を意味する。この場合には、液／液分散体については、粗エマルションの液滴粒度スペクトルは、より小さい液滴の方向にかなりシフトする。このように新しく形成された液滴は、より安定化されていて、より低い界面張力のために、さらに容易く粉砕されるから、液滴粉砕が新しい相界面を作り、それは乳化剤分子によって完全に及び速く占有されるに違いない。標準的な乳化法によって本発明の分散体を得ることができる。本発明の分散体を調製する一の典型的方法は、水相と乳化剤及び親油相を含む混合物とを合わせることにより行なわれ、そして１×１０５〜２×１０８Ｊ／ｍ３のエネルギー入力で均質化が行なわれる。
【００６６】
平らな又は刻み目のある弁を備えた放射状ディフューザーなどの高圧分散システム；例えば、マイクロ流動化機（例えば、ジェット型分散機又はバッフルシステム）などの対向ジェット型分散機を含む均質化装置を使用してよい。さらに適切な分散システムとしては、ローターステーターシステム、超音波システム、ボールミル又は隔膜が挙げられる。高圧分散システムが均質化装置として使用されるときに、その作業は５０〜２５００ｂａｒ、好ましくは２００〜８００ｂａｒ、特に４００〜６００ｂａｒの圧力で行なわれる。
【００６７】
マイクロミキサーによるエマルション調製の場合には、２〜３０ｂａｒの、好ましくは５〜２０ｂａｒの圧力範囲が標準的である。マイクロミキサーには、特に穏やかな方法において、低圧で微細に分離された及び狭い粒度分布を作り出すという利点がある。本発明の方法の好ましい一実施形態では、この均質化は高圧均質化によって行なわれる。高圧均質化の利点は、非常に狭い粒度分布を有する小液滴を形成するのが非常に容易なことであり、その粒度分布は、低粘度の、相が安定な分散体を調製するつもりならば有利である。高圧均質化により調製されたエマルションの性能優位性のために、化粧品業界において、この種類の均質化法を用いる試みもますます行なわれている。新しい界面が特別な速度で形成されるという事実によって、乳化剤が最適な相安定性を確保するために、その界面を自然に及び非常に速く占有するから、乳化剤及びキャリヤ相に課せられた要求が高くなっている。
【００６８】
単一モードの及び狭い粒度分布を有する、具体的にはＢＴＶ値が２以下の、微細に分離した分散体を得るために、互いに異なる乳化法を合わせるのが有利であろう。例えば、予備分散体を攪拌容器内で調製し、そして次に、ローターステーターシステムによる及びその次の高圧ホモジナイザーによるワンパスの分散によって、均質化できる。ここでワンパスは、容器の全含有物を、その均質化装置から別の容器中に１回通すという工程を意味する。循環モードと呼ばれるものと比べて、この工程は、必ず液体の各成分が均質化装置を一回通過するようにする。分散体の破壊の開始点を形成し得る粗エマルション液滴は残っていない。
【００６９】
予備分散体については、ローターステーターシステムを使用するのが好ましい。ローターステーターシステムは、歯付きコロイドミル、或いは、スロット又はシリンダー形若しくは長方形の穴の形態の通過穴を有する単数又は複数のローター及びステーター（例えば、Cavitron社、Supraton社、Siefer社、Bran+Luebbe社、IKA社、Koruma社又はSilverson社型など）からなる機械などの装置でよい。本発明の好ましい一実施形態では、均質化工程が２回以上行われる。
【００７０】
本発明の一実施形態では、濃縮物を調製して、次に水でそれらを希釈することにより本発明の分散体を調製できる。これは、低い最終親油相濃度を有する分散体の場合に特に有利である。
【００７１】
本発明の分散体は、先行技術の他の既知のエマルションよりも、貯蔵時にかなり安定である。好ましくは、それらはアミンを含まない組成物の形態を取る。
【００７２】
最後に、本発明は、上記のように水で組成物を希釈して、次に希釈された組成物を減摩され得るベルトコンベヤー又はコンベヤーシステムに塗布することにより、ベルトコンベヤー及びコンベヤーシステムを減摩する方法を提供し、前記の塗布は吹き付け塗装により行なわれることが好ましい。
【実施例】
【００７３】
２つの本発明のエマルションを調製し、それらの減摩作用を試験した。
【００７４】
１．エマルションの調製
高圧ホモジナイザー中で混合することにより、７つの本発明のエマルションを調製した。エマルションの油相の液滴粒度は、０．１０４μｍの平均値及び０．１０２μｍの中央値を持ち、＜０．３μｍである。結果として生じたｄ値（より正確にはｄ３，９０値）は、分散（乳化）相の体積の９０％がｄ３，９０以下の直径を有する液滴によってどのように形成されるかを示している。
【００７５】
粒度分布は、取扱説明書（１９９４年）に従って、（１４．８．２００１に）含まれている光学モデルエマルションｒｆｄ．ＰＩＤＳを用いるBeckmann Coulter LS 230計器により測定した。水を測定媒体として使用した。分散体の調製直後に粒度を測定する。計器製造業者の指示に従って、低濃度の各条件で分散体を測定した。つまり、計器固有の飽和濃度がこの計器に表示されるまで、攪拌したまま分散体を蒸留水に入れた。
【００７６】
下記表には、エマルションの組成（数字は重量％）が示されている。次のような原料を利用した。大豆レシチンとしてCargill社製Leciprime 1800 IP；グリセリド混合物としてCognis社製Cegesoft FR57、Myritol 312及びMyritol 331；共乳化剤、エトキシル化ソルビタンモノステアリン酸としてTween 80及びTween 60；防腐剤としてUniphen P-23。
【００７７】
【表１】
2014210926.tif 000012
【００７８】
２．性能試験
先行技術を示す次の配合物８及び９と比較して、本発明の組成物６及び７を試験した。組成物９は固形物の懸濁水溶液なので、エマルションではない。
【００７９】
組成物８
水  ４７．０重量％
イソプロパノール  １０．０重量％
乳化剤（Glucopon 600 UP）  １８．０重量％
オレイン酸  １５．０重量％
ＫＯＨ（４５％）  ６．０重量％
モノエタノールアミン  ４．０重量％
【００８０】
組成物９
水  ９１．２３重量％
パルミチン酸セチル  ４．４４重量％
ステアリン酸グリセリル  ０．３３重量％
エトキシル化ベヘニルアルコール（１０ＥＯ）  １．３３重量％
防腐剤  ２．０重量％
【００８１】
２．１  ４０℃での貯蔵安定性の試験
これらの組成物を４０℃の一定温度で貯蔵した。１週間後、相分離が起こったかどうかについて目視評価した。比較配合物９と比べて、相対的に組成物６及び７を試験した。
【００８２】
【表２】
2014210926.tif 000013
【００８３】
２．２  減摩実験
減摩作用に関する組成物６及び７の効果を比較配合物８及び９と比較して試験する。下記表は、５００ｐｐｍの減摩剤濃度、つまり希釈溶液で行なわれた減摩実験の結果を示す。
【００８４】
【表３】
2014210926.tif 000014
【００８５】
＊ｄＨ＝ドイツ式硬度測定値
表にはそれぞれ摩擦係数が示されている。略記は次の意味を持つ。
＋＋：比較配合物よりもかなり良い。
＋：比較配合物より良い。
０：比較配合物と同等。
【００８６】
２．３  材料適合性
後述の方法を用いて材料適合性を測定した。実際の電位接触の範囲で、評価中のペット（ＰＥＴ）ボトルを評価中の濃縮品（例えば、チェーン用減摩剤）に浸して、次にＣＯ２に曝露する。規定の曝露期間後に、水で濃縮品を洗い落とす。ボトルが乾燥したらすぐに、それらを検査する。具体的には、試験は次のように行なった。
１．  製品ごとに９個のペットボトルを試験する。
２．  最初に、ボトルの縁より２〜３ｃｍ低い所までボトルに水を満たす。
３．  次に、ボトルの胴部を濃縮減摩剤の約５ｃｍの深さに５秒間浸す（ボトルの胴部は完全に湿った筈である）。
４．  過剰な減摩剤をボトル胴部から滴下させる（約１０秒）。
５．  閉止タップによってボトルを、上部に取り付けられた接続部の形態のカップリングにつなげ、そしてＣＯ２接続部に接合する。
６．  減圧弁をΔｐ＝７．５に設定して、そしてペットボトルの内圧を穏やかに（約３０秒）Δｐ＝７．５ｂａｒにする。
７．  ＣＯ２がもう溶解しなくなるまで、ボトルを振とうしてＣＯ２への曝露を続ける。
８．  Δｐ＝７．５ｂａｒ±０．２ｂａｒの低圧下で、ボトルを室温で７２時間貯蔵する。
９．  穏やかに（約３０秒）Δｐ＝０ｂａｒに通気する。
１０．  ボトルを空にして水で洗い流す。
【００８７】
開発したチェーン用減摩剤と同じ方法で試験される３つのボトルを基準品として使用した。漏れ、応力亀裂及び曇りについてボトルの胴部を視覚的に評価することにより、この評価を行なった。これは、４又は５個のカテゴリーと３個の区域で区別することを意味する。
【００８８】
【表４】
2014210926.tif 000015
【００８９】
組成物６及び７は、台面域以外には損傷が皆無かそれに近いことを示し、したがって、ＰＥＴ材料に適合できるものとして分類される。
【手続補正書】
【提出日】平成26年6月25日(2014.6.25)
【手続補正１】
【補正対象書類名】明細書
【補正対象項目名】００８９
【補正方法】変更
【補正の内容】
【００８９】
組成物６及び７は、台面域以外には損傷が皆無かそれに近いことを示し、したがって、ＰＥＴ材料に適合できるものとして分類される。以下、本発明の実施形態を以下の項目に列記する。
〔１〕乳化剤としてリン脂質が存在することを特徴とする、親油相及び水相を含む分散体の、減摩剤としての、好ましくはコンベヤーシステム減摩剤としての使用。
〔２〕分散体がエマルション、特に水中油滴型（Ｏ／Ｗ）又は油中水滴型（Ｗ／Ｏ）エマルションの形態であることを特徴とする、項目１に記載の使用。
〔３〕分散体の親油相が、グリセロールと一般式Ｒ‐ＣＯＯＨ（Ｒは、５〜２１個の炭素原子、好ましくは５〜１９個の炭素原子を含む、飽和若しくは不飽和、分岐鎖若しくは直鎖アルキル又はアルケニル基である）の脂肪酸との部分的なエステル及び／又は完全なエステルを含むことを特徴とする、項目１又は２に記載の使用。
〔４〕さらに、親油相がグリセロールを含むことを特徴とする、項目１〜３のいずれか１項に記載の使用。
〔５〕リン脂質として、レシチン、好ましくは大豆レシチンが選択されることを特徴とする、項目１〜４のいずれか１項に記載の使用。
〔６〕分散体が０．３〜０．０５μｍ、好ましくは０．２〜０．０８μｍ、特に０．１５〜０．１μｍの平均液滴粒度を有することを特徴とする、項目１〜５のいずれか１項に記載の使用。
〔７〕液滴が４００ｎｍ未満の、好ましくは２００ｎｍ未満のザウター径ｄ３；２を有する分散体を使用することを特徴とする、項目１〜６のいずれか１項に記載の使用。
〔８〕親油相が分散体の０．１〜５０重量％、好ましくは０．５〜２５重量％、特に１．０％〜１５重量％を占めることを特徴とする、項目１〜７のいずれか１項に記載の使用。
〔９〕リン脂質が分散体に０．０１〜１０重量％、好ましくは０．１〜８重量％、特に０．５〜５重量％、好適には１．０〜３．０重量％存在することを特徴とする、項目１〜８のいずれか１項に記載の使用。
〔１０〕分散体が７０重量％以上の水、好ましくは８０重量％以上の水を含むことを特徴とする、項目１〜９のいずれか１項に記載の使用。
〔１１〕さらに、分散体にリン脂質だけでなく追加の乳化剤も存在することを特徴とする、項目１〜１０のいずれか１項に記載の使用。
〔１２〕さらに、分散体が界面活性剤を含むことを特徴とする、項目１〜１１のいずれか１項に記載の使用。
〔１３〕界面活性剤が非イオン性、カチオン性又は両性界面活性剤の群から選択されることを特徴とする、項目１〜１２のいずれか１項に記載の使用。
〔１４〕アニオン性界面活性剤及び／又はせっけんを含まない分散体を使用することを特徴とする、項目１〜１３のいずれか１項に記載の使用。
〔１５〕さらに、分散体が、好ましくは殺生剤、帯電防止剤、消泡剤、増粘剤、可溶化剤、ヒドロトロープ、ｐＨ調整剤、腐食防止剤、ビルダー物質、錯化剤又は防腐剤の群から選択される追加成分を含むことを特徴とする、項目１〜１４のいずれか１項に記載の使用。
〔１６〕分散体が、プラスチック及び／又は金属から構成されている面を有するコンベヤーシステムを減摩するのに使われることを特徴とする、項目１〜１５のいずれか１項に記載の使用。
〔１７〕分散体が、容器、好ましくはガラス又はプラスチックの容器、さらに好ましくはガラス又はプラスチックのボトルを輸送するコンベヤーシステムを減摩するのに使われることを特徴とする、項目１〜１６のいずれか１項に記載の使用。
〔１８〕分散体を使用して、食品に直接接触することになるコンベヤーシステムを減摩することを特徴とする、項目１〜１７のいずれか１項に記載の使用。
〔１９〕最初に水で分散体を希釈して、次に減摩剤として使用することを特徴とする、項目１〜１８のいずれか１項に記載の使用。
〔２０〕希釈された組成物が０．００１〜１５重量％の項目１〜１５のいずれか１項に記載の組成物を含むことを特徴とする、項目１９に記載の使用。
〔２１〕水で項目１〜１５のいずれか１項に記載の組成物を希釈して、次にベルトコンベヤーに塗布することを特徴とする、ベルトコンベヤーを減摩する方法。
【手続補正２】
【補正対象書類名】特許請求の範囲
【補正対象項目名】全文
【補正方法】変更
【補正の内容】
【特許請求の範囲】
【請求項１】
乳化剤としてリン脂質が存在することを特徴とする、親油相及び水相を含む分散体の減摩剤としての使用であって、該分散体は、アニオン性界面活性剤を含まず、該分散体は、２００ｎｍ以下のザウター径ｄ３，２、及び１以下のＢＴＶ値を有する、使用。
【請求項２】
分散体がエマルションの形態であることを特徴とする、請求項１に記載の使用。
【請求項３】
分散体の親油相が、グリセロールと一般式Ｒ‐ＣＯＯＨ（Ｒは、５〜２１個の炭素原子を含む、飽和若しくは不飽和、分岐鎖若しくは直鎖アルキル又はアルケニル基である）の脂肪酸との部分的なエステル及び／又は完全なエステルを含むことを特徴とする、請求項１又は２に記載の使用。
【請求項４】
さらに、親油相がグリセロールを含むことを特徴とする、請求項１又は２のいずれか１項に記載の使用。
【請求項５】
リン脂質として、レシチンが選択されることを特徴とする、請求項１〜４のいずれか１項に記載の使用。
【請求項６】
分散体が０．３〜０．０５μｍの平均液滴粒度を有することを特徴とする、請求項１〜５のいずれか１項に記載の使用。
【請求項７】
親油相が分散体の０．１〜５０重量％を占めることを特徴とする、請求項１〜６のいずれか１項に記載の使用。
【請求項８】
リン脂質が分散体に０．０１〜１０重量％存在することを特徴とする、請求項１〜７のいずれか１項に記載の使用。
【請求項９】
分散体が７０重量％以上の水を含むことを特徴とする、請求項１〜８のいずれか１項に記載の使用。
【請求項１０】
さらに、分散体にリン脂質だけでなく追加の乳化剤も存在することを特徴とする、請求項１〜９のいずれか１項に記載の使用。
【請求項１１】
さらに、分散体が非イオン性、カチオン性又は両性界面活性剤を含むことを特徴とする、請求項１〜１０のいずれか１項に記載の使用。
【請求項１２】
さらに、分散体が、殺生剤、帯電防止剤、消泡剤、増粘剤、可溶化剤、ヒドロトロープ、ｐＨ調整剤、腐食防止剤、ビルダー物質、錯化剤又は防腐剤の群から選択される追加成分を含むことを特徴とする、請求項１〜１１のいずれか１項に記載の使用。
【請求項１３】
分散体が、プラスチック及び／又は金属から構成されている面を有するコンベヤーシステムを減摩するのに使われることを特徴とする、請求項１〜１２のいずれか１項に記載の使用。
【請求項１４】
分散体が、容器を輸送するコンベヤーシステムを減摩するのに使われることを特徴とする、請求項１〜１３のいずれか１項に記載の使用。
【請求項１５】
分散体を使用して、食品に直接接触することになるコンベヤーシステムを減摩することを特徴とする、請求項１〜１４のいずれか１項に記載の使用。
【請求項１６】
最初に水で分散体を希釈して、希釈された組成物を得て、次に該希釈された組成物を減摩剤として使用することを特徴とする、請求項１〜１５のいずれか１項に記載の使用。
【請求項１７】
希釈された組成物が０．００１〜１５重量％の分散体を含むことを特徴とする、請求項１６に記載の使用。
【請求項１８】
分散体を水で希釈して、次にベルトコンベヤーに塗布することを特徴とする、ベルトコンベヤーを減摩するための請求項１〜１２のいずれか１項に記載の使用。
【外国語明細書】
2014210926000001.pdf